(57)【要約】【課題】エアコンプレッサは、安定性の低い設置面に置かれる場合や、持ち運びされて安定性が低い場合には、圧縮機構の振動が伝わることで揺れ動き易い。エアコンプレッサが揺れ動く場合等においては、異常な動作を防止するためエアコンプレッサを停止させて圧縮エアを供給不能にすることが望ましい。本発明は、エアコンプレッサの設置の安定性が低い場合に、当該エアコンプレッサの異常な動作を防止できるようにすることを目的とする。【解決手段】定置式のエアコンプレッサ１は、圧縮エアを生成する圧縮エア生成部２０と、圧縮エアを貯留するタンク４と、設置用の脚部３と、エアコンプレッサ１としての機能の起動停止を制御するコントローラ４０と、エアコンプレッサ１の振動を検知する振動センサ４５を備えている。コントローラ４０は、所定の範囲の振動値から外れた振動値を振動センサ４５が検知した場合、エアコンプレッサ１としての機能を停止させる。【選択図】図２
2020118073.tif 000002
【特許請求の範囲】
【請求項１】
圧縮エアを生成する圧縮機構と、該圧縮機構で生成された圧縮エアを貯留するタンクと、設置用の脚部と、該エアコンプレッサとしての機能の起動停止を制御するコントローラを備えた定置式のエアコンプレッサであって、
該エアコンプレッサの振動を検知する振動検知手段を備えており、
前記コントローラは、前記振動検知手段が検知した振動値が所定の範囲の振動値から外れた場合、該エアコンプレッサとしての機能を停止させるエアコンプレッサ。
【請求項２】
請求項１に記載のエアコンプレッサであって、
前記コントローラは、前記振動検知手段が検知した前記振動の振幅が所定の範囲の振幅値から外れた場合、該エアコンプレッサとしての機能を停止させるエアコンプレッサ。
【請求項３】
請求項１または２に記載のエアコンプレッサであって、
前記振動検知手段は、前記タンクまたは前記脚部に設けられるエアコンプレッサ。
【請求項４】
圧縮エアを生成する圧縮機構と、該圧縮機構で生成された圧縮エアを貯留するタンクと、設置用の脚部と、該エアコンプレッサとしての機能の起動停止を制御するコントローラを備えた定置式のエアコンプレッサであって、
設置面に対する該エアコンプレッサの傾きを検知する傾斜検知手段を備えており、
前記コントローラは、前記傾斜検知手段が検知した傾き角度に基づいて、該エアコンプレッサとしての機能を停止させるエアコンプレッサ。
【請求項５】
請求項４に記載のエアコンプレッサであって、
前記コントローラは、前記傾斜検知手段が検知した前記傾き角度が所定の角度範囲から外れた場合、該エアコンプレッサとしての機能を停止させるエアコンプレッサ。
【請求項６】
請求項４または５に記載のエアコンプレッサであって、
前記コントローラは、前記傾斜検知手段が検知した前記傾き角度の変化量が所定の角度範囲から外れた場合、該エアコンプレッサとしての機能を停止させるエアコンプレッサ。
【請求項７】
請求項４〜６のいずれか１項に記載のエアコンプレッサであって、
前記傾斜検知手段はジャイロセンサであり、該傾斜検知手段を前記コントローラが備える基板に設けたエアコンプレッサ。
【請求項８】
請求項１〜７のいずれか１項に記載のエアコンプレッサであって、
ＤＣ電源から電源供給されるエアコンプレッサ。
【発明の詳細な説明】
【技術分野】
【０００１】
本発明は、例えば圧縮エア駆動式の釘打機やエアタッカ等の工具に圧縮エアを供給するためのエアコンプレッサであって、床や作業台等の設置面に設置して使用される定置式のエアコンプレッサに関する。
【背景技術】
【０００２】
特許文献１に記載のエアコンプレッサは、電動モータと、圧縮エアを生成する圧縮機構を備えている。圧縮機構は、電動モータのモータ軸に連結されるクランクと、クランクに連結されてシリンダ内を往復動可能に設けられたピストンを備えている。電動モータを起動させ、クランクを介してシリンダ内のピストンを往復動させることで圧縮エアが生成される。生成した圧縮エアは、エアコンプレッサが備えるタンクに貯留され、タンクから圧縮エア駆動式の釘打機やエアタッカ等の工具に供給される。この種のエアコンプレッサは、床や作業台等の設置面に設置して使用される。
【０００３】
エアコンプレッサを起動させている時、ピストンの往復運動によって主として圧縮機構から振動が発生する。引用文献２には、エアコンプレッサが正常に機能している時の振動と検知手段が検知する振動との比較から、当該エアコンプレッサの故障診断をするエアコンプレッサが記載されている。
【先行技術文献】
【特許文献】
【０００４】
【特許文献１】特開２０１２−１１２２８２号公報
【特許文献２】特許第４４５５９６８号明細書
【発明の概要】
【発明が解決しようとする課題】
【０００５】
圧縮機構で発生する振動は、タンクやエアコンプレッサを支持する脚部等に伝わる。エアコンプレッサが安定性の高い設置面に置かれている場合は、振動がタンクや脚部等に伝わってもエアコンプレッサは揺れ動き難い。しかしながら、エアコンプレッサが安定性の低い設置面に置かれている場合や、エアコンプレッサが持ち運びされている場合といった、エアコンプレッサの設置の安定性が低い場合（設置面が不安定な場合、あるいは設置したエアコンプレッサの姿勢が不安定な場合、あるいはエアコンプレッサが設置されていない吊り下げ状態である場合等）には、エアコンプレッサとして正常に機能している場合であっても、圧縮機構で発生する振動が伝わることでエアコンプレッサが揺れ動き易い。エアコンプレッサが揺れ動く場合等においては、エアコンプレッサや圧縮エアの供給先である外部のエア工具の異常または不用意な動作を防止するため、エアコンプレッサを停止させて圧縮エアの供給を不能とすることが望ましい。
【０００６】
本発明は、エアコンプレッサの設置の安定性が低い場合に、当該エアコンプレッサの異常または不用意な動作を防止できるようにすることを目的とする。
【課題を解決するための手段】
【０００７】
本開示の一つの特徴によるとエアコンプレッサは、定置式であって、圧縮エアを生成する圧縮機構と、圧縮機構で生成された圧縮エアを貯留するタンクと、設置用の脚部と、該エアコンプレッサとしての機能の起動停止を制御するコントローラを備えている。エアコンプレッサは、該エアコンプレッサの振動を検知する振動検知手段を備えている。コントローラは、振動検知手段が検知した振動値が所定の範囲の振動値から外れた場合、エアコンプレッサとしての機能を停止させる。ここで、エアコンプレッサとしての機能とは、バッテリやＡＣ電源等からの電源供給機能や、圧縮機構における圧縮エア生成機能や、生成した圧縮エアをタンクに貯留する機能や、タンクに貯留した圧縮エアを外部のエア工具に送る供給機能といった、電源供給を受けて外部のエア工具に圧縮エアが供給されるまでの一連の機能を含むものであり、これらのうち一部若しくは一つの機能を停止させることにより、当該エアコンプレッサとしての機能を停止させることができる。また、ここで、所定の範囲の振動値とは、振動値の大きさ（絶対値）に限らず、振動値を検知する回数、頻度等も含んでいる。
【０００８】
従って、振動値のしきい値を、例えばエアコンプレッサが安定性の高い設置面に置かれている場合に振動検知手段が検知する振動値より大きく設定する。これにより、振動検知手段が検知する振動値がしきい値より大きくなる場合、すなわち所定の範囲の振動値から外れる場合には、エアコンプレッサの安定性が低いと判断してエアコンプレッサとしての機能を停止させることができる。従って、エアコンプレッサの異常または不用意な動作を防止できる。また、エアコンプレッサの安定性が高い場合にはエアコンプレッサとしての機能を継続させることができる。なお、振動値のしきい値を、例えばエアコンプレッサが安定性の低い設置面に置かれている場合や持ち運びされている場合に振動検知手段が検知する振動値より小さく設定してもよい。
【０００９】
本開示の他の特徴によるとコントローラは、振動検知手段が検知した振動の振幅が所定の範囲の振幅値から外れた場合、エアコンプレッサとしての機能を停止させる。
【００１０】
従って、振動の振幅のしきい値を、例えばエアコンプレッサが安定性の高い設置面に置かれている場合に振動検知手段が検知する振幅より大きく設定する。これにより、振動検知手段が検知する振動の振幅がしきい値より大きくなる場合、すなわち所定の範囲の振幅から外れる場合には、エアコンプレッサの安定性が低いと判断してエアコンプレッサとしての機能を停止させることができる。従って、エアコンプレッサが揺れ動く等の異常な動作が起こることを防止できる。
【００１１】
本開示の他の特徴によると振動検知手段は、タンクまたは脚部に設けられている。
【００１２】
従って、エアコンプレッサの安定性が低い場合において、振動が伝わることで特にエアコンプレッサが揺れ動く等の異常な動作が起き易いタンクまたは脚部に振動検知手段を設置する。これにより、エアコンプレッサの異常な動作を防止し易くなる。
【００１３】
本開示の他の特徴によるとエアコンプレッサは、定置式であって、圧縮エアを生成する圧縮機構と、圧縮機構で生成された圧縮エアを貯留するタンクと、設置用の脚部と、該エアコンプレッサとしての機能の起動停止を制御するコントローラを備えている。エアコンプレッサは、設置面に対する該エアコンプレッサの傾きを検知する傾斜検知手段を備えている。コントローラは、傾斜検知手段が検知した傾き角度に基づいて、エアコンプレッサとしての機能を停止させる。
【００１４】
従って、傾斜検知手段が検知した傾き角度に基づいて、例えばエアコンプレッサの設置面が不安定である場合やエアコンプレッサが揺れ動く場合等、エアコンプレッサの安定性が低いとコントローラが判断した場合には、エアコンプレッサとしての機能を停止させる。これにより、エアコンプレッサの異常または不用意な動作を防止できる。また、例えば検知された傾き角度が十分に小さくエアコンプレッサの設置面が安定している場合等、エアコンプレッサの安定性が高いとコントローラが判断した場合には、エアコンプレッサとしての機能を継続させることができる。
【００１５】
本開示の他の特徴によるとコントローラは、傾斜検知手段が検知した傾き角度が所定の角度範囲から外れた場合、エアコンプレッサとしての機能を停止させる。ここで、所定の角度範囲とは、傾き角度の大きさ（絶対値）に限らず、傾き角度を検知する回数、頻度等も含んでいる。
【００１６】
従って、例えば傾き角度のしきい値を、例えばエアコンプレッサが安定性の高い設置面に置かれている場合に傾斜検知手段が検知する傾き角度より大きく設定する。これにより、傾斜検知手段が検知する傾き角度がしきい値より大きくなる場合、すなわち所定の範囲の傾き角度から外れる場合には、エアコンプレッサの安定性が低いと判断してエアコンプレッサとしての機能を停止させることができる。従って、比較的傾き角度の大きい設置面上においてエアコンプレッサが滑り動くことや揺れ動くことを防ぐことができ、エアコンプレッサの異常な動作を防止できる。
【００１７】
本開示の他の特徴によるとコントローラは、傾斜検知手段が検知した傾き角度の変化量が所定の角度範囲から外れた場合、エアコンプレッサとしての機能を停止させる。
【００１８】
従って、揺れ振幅（傾き角度の変化量）のしきい値を、例えばエアコンプレッサが安定性の高い設置面に置かれている場合に傾斜検知手段が検知する揺れ振幅より大きく設定する。これにより、傾斜検知手段が検知する揺れ振幅がしきい値より大きくなる場合、すなわち所定の範囲の揺れ振幅から外れる場合には、エアコンプレッサの安定性が低いと判断してエアコンプレッサとしての機能を停止させることができる。従って、エアコンプレッサが揺れ動く等の異常な動作を防止できる。
【００１９】
本開示の他の特徴によると傾斜検知手段はジャイロセンサであり、該傾斜検知手段はコントローラが備える基板に設けられている。
【００２０】
従って、コントローラに対して傾斜検知手段（ジャイロセンサ）を電気的に接続する際の組み付け性を高めることができる。
【００２１】
本開示の他の特徴によるとエアコンプレッサは、ＤＣ電源から電源供給される。
【００２２】
従って、例えば繰り返し充電可能な充電式バッテリ等のＤＣ電源をエアコンプレッサに取り付けて電源供給させることで、作業場所がＡＣ電源から離れている場合等であってもエアコンプレッサを使用することができる。
【図面の簡単な説明】
【００２３】
【図１】本発明に係るエアコンプレッサの全体斜視図である。
【図２】第１実施形態に係るエアコンプレッサのハウジングを取り外した斜視図である。
【図３】第１実施形態に係るエアコンプレッサの右側面図であって一部縦断面図である。
【図４】第１実施形態に係るエアコンプレッサの制御を模式的に示すブロック図である。
【図５】第１実施形態に係る振動センサの検知を基にエアコンプレッサとしての機能を停止させるフローを示すフローチャートである。
【図６】第２実施形態に係るエアコンプレッサのハウジングを取り外した斜視図である。
【図７】第２実施形態に係るエアコンプレッサの右側面図であって一部縦断面図である。
【図８】第２実施形態に係るエアコンプレッサの制御を模式的に示すブロック図である。
【図９】第２実施形態に係る姿勢センサの検知を基にエアコンプレッサとしての機能を停止させるフローを示すフローチャートである。
【発明を実施するための形態】
【００２４】
次に、本発明の第１実施形態を図１〜図５に基づいて説明する。図１〜３に示すように定置式のエアコンプレッサ１は、全体を外装するハウジング２と、圧縮エアを貯蔵可能な横長形状のタンク４を１つ備えている。タンク４の下面側には、タンク４の長手方向両端部それぞれに設置用の脚部３が左右一対ずつ設けられ、脚部３を計４つ備えている。エアコンプレッサ１を床や作業台等の設置面Ｆに設置する場合、４つの脚部３でエアコンプレッサは支持される。タンク４の上方には、タンク４と連通している吐出口３４が設けられている。吐出口３４には、エアホースを接続させることができる。接続させたエアホースを介して、タンク４から釘打機等の圧縮空気で駆動する工具へと圧縮空気を供給することができる。以下の説明において、脚部３を下側にしてエアコンプレッサ１を設置した姿勢で上下方向を規定する。また、吐出口３４を前側として、前側に位置する使用者から見たときを基準として前後左右方向を規定する。
【００２５】
図２，３に示すように、エアコンプレッサ１は、タンク４の上方に圧縮エア生成部（圧縮機構）２０を備えている。圧縮エア生成部２０は、駆動源である電動モータ１６と吸気された外気を圧縮するピストン２４を備えている。電動モータ１６は、モータ軸１６ａを前方に延ばした姿勢でモータハウジング１５に収容されている。モータ軸１６ａには駆動ギヤ１６ｂと冷却ファン１６ｃが一体に取り付けられている。駆動ギヤ１６ｂには、ギヤハウジング１７に収容されている減速部１８の従動ギヤ１８ｂが噛み合っている。従動ギヤ１８ｂは、ギヤハウジング１７に回転可能に支持されている出力軸１８ａと一体に設けられている。出力軸１８ａの前部は、クランクハウジング２１内に進入しており、当該前部にはクランク円板２２が取り付けられている。クランク円板２２には、出力軸１８ａに対して偏心しているクランク軸２２ａが設けられている。クランク軸２２ａには、クランクロッド２３の基端部が相対回転可能に支持されている。クランクロッド２３の先端部にはピストン２４が取り付けられている。クランクハウジング２１の上部には、上下方向に延びるシリンダ２５が気密に取り付けられている。ピストン２４は、シリンダ２５内を気密に往復動可能に支持されている。シリンダ２５の上部のピストン上室は、通気管２６と連通している。通気管２６は、タンク４内と連通している。
【００２６】
電動モータ１６が起動すると、駆動ギヤ１６ｂと従動ギヤ１８ｂの噛み合いによって電動モータ１６の回転出力は減速される。減速された回転出力は、出力軸１８ａを介してクランク円板２２を回転させる。クランク円板２２が回転すると、クランク軸２２ａが出力軸１８ａ回りを公転する。これにより、クランクロッド２３が上下に運動し、ピストン２４がシリンダ２５内を上下に往復動する。ピストン２４の往復動によってシリンダ２５のピストン上室に外気が給気されて圧縮エアが生成される。生成された圧縮エアは、通気管２６を介してタンク４内に供給される。
【００２７】
図２，３に示すように、エアコンプレッサ１の前部には、圧縮エア供給部３０が設けられている。圧縮エア供給部３０は、圧力調整部３１と圧力調整ダイヤル３２とメータ３３と吐出口３４を備えている。圧力調整ダイヤル３２とメータ３３は、上部に露出している。圧力調整ダイヤル３２は、使用者が回転操作可能に支持されている。吐出口３４は、ハウジング２の前端から前方に突出している。圧力調整部３１は、タンク４内と吐出口３４とが連通している経路途中に設けられている。圧力調整ダイヤル３２を回転操作すると、圧力調整部３１は、タンク４内の圧縮エアを減圧させて吐出口３４へと供給することができる。圧力調整部３１で減圧した圧縮エアの圧力は、メータ３３に表示される。
【００２８】
図２，３に示すように、エアコンプレッサ１の後部には、電動モータ１６へ電源供給するバッテリ１３を着脱可能であるバッテリ取付部１２が設けられている。バッテリ１３はバッテリ取付部１２から取り外して別途用意した充電器で充電することにより繰り返し使用することができる。バッテリ１３は、ねじ締め機や電気ドリル等のその他の充電式電動工具との間でＤＣ電源として使い回すことができる。バッテリ取付部１２に取り付けられたバッテリ１３から電動モータ１６への電源供給は、電源制御部１０とコントローラ４０によって制御されている。
【００２９】
図１，２に示すように電源制御部１０は、バッテリ１３から電動モータ１６やコントローラ４０や後述する電磁バルブ３６等の各種電材部品への電源供給を制御する。電源制御部１０は、ハウジング２の外部から押し操作可能な押しボタン１１を備えている。バッテリ１３からの電源供給がオフ状態の場合に押しボタン１１を押し操作することで、電源供給がオン状態に切り替えられる。バッテリ１３からの電源供給がオン状態の場合に押しボタン１１を押し操作することで、電源供給がオフ状態に切り替えられる。
【００３０】
図２，３に示すように、エアコンプレッサ１には、コントローラ４０が収容されている。図４に示すように、コントローラ４０は、底浅の箱形矩形のコントローラケース４０ａにコントローラ基板４０ｂが収容されて構成されている。コントローラ基板４０ｂは、電動モータ１６等を制御するマイコン（マイクロプロセッサ）４１や、マイコン４１から受信した制御信号に基づいて電動モータ１６の電流をスイッチングするＦＥＴ回路４２等を備えている。図３に示すように、コントローラ４０は、冷却ファン１６ｃの側方に配置されている。モータ軸１６ａが回転することで冷却ファン１６ｃが回転し、冷却風が発生する。冷却風は、電動モータを冷却しながら、冷却ファン１６ｃより下流側に位置するコントローラ４０を冷却する。
【００３１】
図２，３に示すように、タンク４の側部には、圧力センサ５が設けられている。圧力センサ５は、タンク４内の圧力が設定圧に達して充満状態であるか設定圧未満であるかを検知する。タンク４内の圧力が設定圧に達していることを検知した場合、コントローラ４０は電動モータ１６を停止させて、待機状態となる。タンク４内の圧力が設定圧未満であることを検知した場合、コントローラ４０は電動モータ１６を再起動させ、若しくは起動状態を継続する。
【００３２】
図１，２に示すように、タンク４の下側部には、水抜き用のドレンコック６とドレン排出口６ａが設けられている。ドレン排出口６ａは、タンク４の内部と連通しており、やや下向きに開口している。ドレンコック６は、回動操作することでドレン排出口６ａを開閉する。エアコンプレッサ１を使用する場合は、ドレンコック６が閉じた状態で使用する。ドレンコック６を開くと、その開き量に応じてタンク４内に溜まったドレン（水）と圧縮空気がドレン排出口６ａから排出される。
【００３３】
図２，３に示すように、タンク４の前部には、圧縮エア放出手段３５が設けられている。圧縮エア放出手段３５は、電磁バルブ３６と排出管３７を備えている。排出管３７は、電磁バルブ３６を介してタンク４内と連通している。電磁バルブ３６は、バッテリ１３とコントローラ４０とに電気的に接続されており、コントローラ４０の制御によってバッテリ１３から供給される電力によって開閉する。電磁バルブ３６が閉じている場合、排出管３７からタンク４内の圧縮エアは排出されない。電磁バルブ３６が開いている場合、排出管３７からタンク４内の圧縮エアが排出される。
【００３４】
図１，２に示すように、エアコンプレッサ１の上部には、ハンドル７が設けられている。ハンドル７は、ハウジング２の上面から上方に張り出したループ形状を有している。ハンドル７は、使用者がエアコンプレッサ１を持ち運ぶときの把持部である。ハンドル７の前後の基部それぞれには、左右方向に延びるようにして支軸７ｂが挿入されている。ハンドル７は、支軸７ｂによってハウジング２に支持されている。
【００３５】
図３に示すようにハンドル７の前部と後部には、ベルト取付部７ａがそれぞれ１つずつ設けられている。ベルト取付部７ａには、上側に開口した凹部と、当該凹部内で左右方向に延びて両端がハンドル７に支持されている柱部が形成されている。ベルト取付部７ａには、例えば両端に環状部を有する肩掛けベルト８を取り付け可能である。使用者は、前後一対のベルト取付部７ａ間に肩掛けベルト８を掛け渡して取り付けた状態で、肩掛けベルト８を肩に掛けてエアコンプレッサ１を持ち運ぶことができる。
【００３６】
図２，３に示すように、振動センサ（振動検知手段）４５は、タンク４の側部に取り付けられている。図４に示すように、振動センサ４５は、コントローラ４０に電気的に接続されている。振動センサ４５は、当該振動センサ４５が振動する振幅Ａを検知する。振動センサ４５が検知する振動は、例えばピストン２４の往復動による振動がタンク４に伝播することに因るものである。あるいは、振動センサ４５が検知する振動は、例えば使用者がハンドル７を把持してコンプレッサ１を持ち運ぶ時のコンプレッサ１の揺れである。振動センサ４５は、タンク４に限らず、エアコンプレッサ１の設置が不安定である場合（設置面Ｆが不安定な場合、あるいは設置したエアコンプレッサ１の姿勢が不安定な場合、あるいはエアコンプレッサ１が設置されていない吊り下げ状態である場合等）に特に振動しやすい箇所に設けてもよい。振動センサ４５は、例えば脚部３に取り付けてもよい。
【００３７】
コントローラ４０では、図５に示すフローに従って振動検知及び動作制御がなされる。ステップ（以下、ＳＴと略記する）０１で電源制御部１０がオンされると、先ず計測時間Ｔとカウント数Ｃの初期化がなされる（ＳＴ０２）。所定時間、例えば１０ミリ秒の待機後（ＳＴ０３）に、振動センサ４５が振幅Ａを取得する（ＳＴ０４）。次に、振動センサ４５が検知した振幅Ａについて、振幅のしきい値Ａｔより大きいか小さいかを判別する（ＳＴ０５）。振幅のしきい値Ａｔは、例えば載置したエアコンプレッサ１が揺れ動かないような安定性の高い設置面Ｆにエアコンプレッサ１を置いた場合に振動センサ４５が検知する振幅Ａを基にして、予め設定されている。
【００３８】
次に、コントローラ４０は、所定時間Ｔｔ内にしきい値Ａｔ以上の振幅Ａが検知される回数を計測する。振動センサ４５による検知は、ＳＴ０３で待機する所定時間の間隔で行われる。所定時間Ｔｔ内にしきい値Ａｔ以上の振幅Ａを検知した時、カウント数Ｃを１増加させる（ＳＴ０６）。振幅Ａがしきい値Ａｔよりも小さいと、カウント数Ｃの増加はなされない。
【００３９】
次に、計測時間Ｔが所定時間Ｔｔ以内であるか否かの判断がなされる（ＳＴ０７）。計測時間Ｔが所定時間Ｔｔを超えると、フローはＳＴ０２に戻される。計測時間Ｔが所定時間Ｔｔ以内である場合には、次にカウント数Ｃがしきい値Ｃｔ以上であるか否かの判断がなされる（ＳＴ０８）。所定時間Ｔｔ、例えば２秒間の間にカウント数Ｃがしきい値Ｃｔ以上になった場合に、コントローラ４０はエアコンプレッサ１としての機能を即座に停止させ、エアコンプレッサ１を使用不能状態にする（ＳＴ０９）。なお、しきい値Ｃｔは１であってもよく、その場合は、所定時間Ｔｔ以内にカウント数Ｃが１増加した時点（ＳＴ０６）で、コントローラ４０はエアコンプレッサ１としての機能を即座に停止させる。所定時間Ｔｔ内にカウント数Ｃがしきい値Ｃｔを超えない場合は、フローはＳＴ０３に戻されてエアコンプレッサ１としての機能は停止することなく継続される。
【００４０】
エアコンプレッサ１は、エアコンプレッサ１としての機能を停止させる構成を１つ以上備えている。ここで、エアコンプレッサ１としての機能とは、バッテリ１３から電源制御部１０を介して電動モータ１６へと電源供給する機能や、コントローラ４０が電動モータ１６を制御する機能や、電動モータ１６の駆動によって圧縮エア生成部２０において圧縮エアを生成する機能や、生成した圧縮エアをタンク４に貯留する機能や、タンク４に貯留された圧縮エアを圧縮エア供給部３０を介して外部のエア工具に送る供給機能といった、バッテリ１３から電源供給を受けて外部のエア工具に圧縮エアが供給されるまでの一連の機能を含むものであり、これらのうち一部若しくは一つの機能を停止させることにより、エアコンプレッサ１としての機能を停止させることができる。
【００４１】
エアコンプレッサ１としての機能を停止させる構成の１つは、電動モータ１６の回転を止める構成である。図４に示すように、電動モータ１６は、コントローラ４０に電気的に接続されている。図５に示すように、所定時間Ｔｔ内においてしきい値Ｃｔを超える頻度で、振動センサ４５がしきい値Ａｔ以上の振幅Ａを検知した場合、コントローラ４０が電動モータ１６を停止させる。これにより、図３に示すピストン２４の上下往復動が停止して、圧縮エア生成部２０での圧縮エアの生成が停止される。
【００４２】
エアコンプレッサ１としての機能を停止させる構成の１つは、バッテリ１３から電動モータ１６への電源供給を遮断する構成である。図４に示すように、電源制御部１０は、コントローラ４０に電気的に接続されている。図５に示すように、所定時間Ｔｔ内においてしきい値Ｃｔを超える頻度で、振動センサ４５がしきい値Ａｔ以上の振幅Ａを検知した場合、コントローラ４０は、バッテリ１３から電動モータ１６への電源供給を遮断しながら、電源制御部１０の供給状態をオフ状態に切り替える。これにより、図３に示す電動モータ１６の回転とピストン２４の上下往復動が停止して、圧縮エア生成部２０での圧縮エアの生成が停止される。再度押しボタン１１を押し操作して圧縮エア生成部２０を再起動させることにより圧縮エアの生成が再開される。所定時間Ｔｔ内においてしきい値Ｃｔを超える頻度で、振動センサ４５がしきい値Ａｔ以上の振幅Ａを検知する場合、すなわちエアコンプレッサ１が揺れ動きやすく設置の不安定な状態が解消されていない場合は、再びバッテリ１３から電動モータ１６への電源供給が遮断される。
【００４３】
エアコンプレッサ１としての機能を停止させる構成の１つは、電磁バルブ３６を開いて排出管３７からタンク４内の圧縮エアを大気放出させる構成である。図４に示すように、電磁バルブ３６は、コントローラ４０とバッテリ１３に電気的に接続されている。図５に示すように、所定時間Ｔｔ内においてしきい値Ｃｔを超える頻度で、振動センサ４５がしきい値Ａｔ以上の振幅Ａを検知した場合、コントローラ４０は、バッテリ１３から電磁バルブ３６へと電力供給させ、これにより電磁バルブ３６は開く。したがって、図２に示すタンク４内の圧縮エアは圧縮エア供給部３０に供給されずに排出管３７から大気放出される。所定時間Ｔｔ内において振動センサ４５がしきい値Ａｔ以上の振幅Ａを検知する回数がしきい値Ｃｔより少ない場合、コントローラ４０は、バッテリ１３から電磁バルブ３６への電力供給はなされず、これにより電磁バルブ３６は閉じた状態を維持して、当該エアコンプレッサ１の動作状態が継続される。
【００４４】
報知手段４３によって使用者に、図５に示すように、所定時間Ｔｔ内においてしきい値Ｃｔを超える頻度で、振動センサ４５がしきい値Ａｔ以上の振幅Ａを検知した状態、すなわちエアコンプレッサ１が揺れ動きやすく設置状態が不安定であることが報知され、また、エアコンプレッサ１としての機能が停止していることが報知される。図４に示す報知手段４３は、例えばコントローラ４０に内装されたブザーである。所定時間Ｔｔ内においてしきい値Ｃｔを超える頻度で、振動センサ４５がしきい値Ａｔ以上の振幅Ａを検知した場合、報知手段４３から音が発生する。これにより、エアコンプレッサ１が安定性の低い設置面Ｆに置かれていたり持ち運びされていたりする等の揺れ動きやすく設置状態が不安定であることと、エアコンプレッサ１としての機能が停止していることを使用者に知らせることができる。
【００４５】
以上説明したエアコンプレッサ１によれば、コントローラ４０は、振動センサ４５が検知する振動の振幅Ａでエアコンプレッサ１の設置の安定性を判断し、しきい値Ａｔ以上の振幅Ａを検知することでエアコンプレッサ１としての機能を停止させる。従って、振幅のしきい値Ａｔを、例えば固定された作業台や地盤の固い地面等の安定性の高い設置面Ｆにエアコンプレッサ１を置いた場合に振動センサが検知する振幅Ａより大きく設定する。これにより、振動センサ４５が検知する振幅Ａがしきい値Ａｔより大きくなる場合、エアコンプレッサ１の設置の安定性が低いと判断して、エアコンプレッサ１としての機能を停止させることができる。従って、エアコンプレッサ１が揺れ動く等の異常または不用意な動作を防止できる。また、エアコンプレッサ１の設置の安定性が高い場合にはエアコンプレッサ１としての機能を継続させることができる。
【００４６】
また、エアコンプレッサ１によれば、振動センサ４５は、タンク４に設けられている。従って、エアコンプレッサ１の設置の安定性が低い場合において、振動が伝わることで特にエアコンプレッサ１が揺れ動く等の異常な動作が起き易いタンク４または脚部３に振動センサ４５が設置されている。これにより、エアコンプレッサ１の異常な動作を防止し易くなっている。
【００４７】
また、エアコンプレッサ１によれば、ＤＣ電源であるバッテリ１３から電源供給されている。バッテリ１３は、繰り返し充電可能であって、バッテリ取付部１２に取付け取外しすることができる。従って、作業場所が例えばＡＣ電源から離れている場合等であってもエアコンプレッサ１を使用することができる。
【００４８】
次に、本発明の第２実施形態を図６〜９に基づいて説明する。第２実施形態の定置式のエアコンプレッサ５０は、第１実施形態のエアコンプレッサ１の振動センサ４５に代えて、いわゆるジャイロセンサと称される姿勢センサ（傾斜検知手段）５１を備えている。以下の説明においては、第１実施形態のエアコンプレッサ１と異なる構成についてのみ詳細に説明する。
【００４９】
図６〜８に示すように、姿勢センサ５１は、コントローラ４０のコントローラケース４０ａ内に収容され、コントローラ基板４０ｂに設けられている。姿勢センサ５１は、コントローラ４０のマイコン４１に電気的に接続されている。姿勢センサ５１は、重力方向を基準にした当該姿勢センサ５１の傾き角度Ｂを検知する。
【００５０】
図９のフローチャートに示すように、コントローラ４０は、電源制御部１０のオン（ＳＴ２１）、計測時間Ｔとカウント数Ｃの初期化（ＳＴ２２）の各ステップ（測定開始時）の後に、姿勢センサ５１が検知した傾き角度初期値Ｂ０を取得する（ＳＴ２３）。コントローラ４０は、取得した傾き角度初期値Ｂ０が傾き角度初期値のしきい値Ｂｔより大きいか小さいかを判別する（ＳＴ２４）。傾き角度初期値のしきい値Ｂｔは、例えば載置したエアコンプレッサ５０が滑り動いたり揺れ動いたりしないような比較的傾き角度の小さい設置面Ｆ等を基にして、予め設定されている。傾き角度初期値Ｂ０が傾き角度初期値のしきい値Ｂｔ以上の場合、コントローラ４０はエアコンプレッサ５０としての機能を即座に停止させ、エアコンプレッサ５０を使用不能状態にする（ＳＴ３２）。傾き角度初期値Ｂ０が傾き角度初期値のしきい値Ｂｔより小さい場合は、エアコンプレッサ１としての機能は停止することなく継続され、所定時間、例えば１０ミリ秒待機（ＳＴ２５）後に、姿勢センサ５１の揺れ振幅Ｄを取得するステップ（ＳＴ２６，２７）に移行する。
【００５１】
次に、コントローラ４０は、姿勢センサ５１が検知した傾き角度Ｂを取得し（ＳＴ２６）、傾き角度Ｂと先に取得した傾き角度初期値Ｂ０との差から姿勢センサ５１の揺れ振幅（傾き角度の変化量）Ｄを取得する（ＳＴ２７）。コントローラ４０は、揺れ振幅Ｄが揺れ振幅のしきい値Ｄｔより大きいか小さいかを判別する（ＳＴ２８）。揺れ振幅のしきい値Ｄｔは、例えば載置したエアコンプレッサ５０が滑り動いたり揺れ動いたりしないような安定性の高い設置面Ｆにエアコンプレッサ５０を置いた場合に姿勢センサ５１が検知する揺れ振幅Ｄを基にして、予め設定されている。
【００５２】
次に、コントローラ４０は、所定時間Ｔｔ内にしきい値Ｄｔ以上の揺れ振幅Ｄが検知される回数を計測する。姿勢センサ５１による検知は、ＳＴ２５で待機する所定時間の間隔で行われる。所定時間Ｔｔ内にしきい値Ｄｔ以上の揺れ振幅Ｄを検知した時、カウント数Ｃを１増加させる（ＳＴ２９）。揺れ振幅Ｄがしきい値Ｄｔよりも小さいと、カウント数Ｃの増加はなされない。次に、計測時間Ｔが所定時間Ｔｔ以内か否かの判別がなされる（ＳＴ３０）。計測時間Ｔが所定時間Ｔｔ以内であり、かつ所定時間Ｔｔ、例えば２秒間の間にカウント数Ｃがしきい値Ｃｔ以上になった場合（ＳＴ３１）に、コントローラ４０はエアコンプレッサ５０としての機能を即座に停止させ、エアコンプレッサ５０を使用不能状態にする（ＳＴ３２）。なお、しきい値Ｃｔは１であってもよく、その場合は、所定時間Ｔｔ以内にカウント数Ｃが１増加した時点（ＳＴ２９）で、コントローラ４０はエアコンプレッサ５０としての機能を即座に停止させる。カウント数Ｃがしきい値Ｃｔを超えずに所定時間Ｔｔが経過した場合は、フローはＳＴ２２に戻されて計測時間Ｔとカウント数Ｃの初期化がなされ、エアコンプレッサ１としての機能は停止することなく継続される。フローはその後、新たに傾き角度初期値Ｂ０が取得され（ＳＴ２３）、傾き角度初期値Ｂ０としきい値Ｂｔを比較するステップ（ＳＴ２４）が再度実行される。
【００５３】
エアコンプレッサ５０は、エアコンプレッサ５０としての機能を停止させる構成を１つ以上備えている。エアコンプレッサ５０としての機能は、第１実施形態に係るエアコンプレッサ１としての機能と同様に、バッテリ１３から電源供給を受けて外部のエア工具に圧縮エアが供給されるまでの一連の機能を含むものであり、これらのうち一部若しくは一つの機能を停止させることにより、エアコンプレッサ５０としての機能を停止させることができる。エアコンプレッサ５０としての機能を停止させる構成は、第１実施形態に係るエアコンプレッサ１が備える構成と同様のものである。
【００５４】
以上説明したエアコンプレッサ５０によれば、コントローラ４０は、姿勢センサ５１が検知する傾きの傾き角度Ｂでエアコンプレッサ５０の設置の安定性を判断し（ＳＴ２４）、しきい値Ｂｔ以上の傾き角度に基づいてエアコンプレッサ５０としての機能を停止させる（ＳＴ３２）。特に測定時間の最初に取得した傾き角度初期値Ｂ０と傾き角度初期値のしきい値Ｂｔを比較して（ＳＴ２４）、エアコンプレッサ５０としての機能を停止させる。従って、傾き角度のしきい値Ｂｔを、例えば上面が略水平である作業台や、傾き角度の小さい屋根の上面等の安定性の高い設置面Ｆにエアコンプレッサ５０を置いた場合に姿勢センサ５１が検知する傾き角度Ｂより大きく設定する。これにより、姿勢センサ４５が検知する角度初期値Ｂ０がしきい値Ｂｔより大きくなる場合、すなわち設置面Ｆがしきい値Ｂｔ以上の比較的傾き角度の大きい傾斜面である場合には、エアコンプレッサ５０の設置の安定性が低いと判断して、エアコンプレッサ５０としての機能を停止させる。これにより、設置の安定性の低い傾斜面上においてエアコンプレッサ５０が滑り動くことや揺れ動くことを防ぐことができ、エアコンプレッサ５０の異常な動作を防止できる。また、エアコンプレッサ５０の設置の安定性が高い場合には、エアコンプレッサ５０としての機能を継続させることができる。
【００５５】
また、エアコンプレッサ５０によれば、コントローラ４０は、姿勢センサ５１が検知する傾きの揺れ振幅Ｄでエアコンプレッサ５０の設置の安定性を判断し（ＳＴ２８）、しきい値Ｄｔ以上の揺れ振幅に基づいてエアコンプレッサ５０としての機能を停止させる（ＳＴ３２）。従って、揺れ振幅のしきい値Ｄｔを、例えばエアコンプレッサ５０が安定性の高い設置面Ｆに置かれている場合に姿勢センサ５１が検知する揺れ振幅Ｄより大きく設定する。これにより、姿勢センサ４５が検知する揺れ振幅Ｄがしきい値Ｄｔより大きくなる場合、エアコンプレッサ５０の設置の安定性が低いと判断して、エアコンプレッサ５０としての機能を停止させることができる。従って、エアコンプレッサ５０が揺れ動く等の異常な動作を防止できる。エアコンプレッサ５０の異常な動作を防止できる。また、エアコンプレッサ５０の設置の安定性が高い場合には、エアコンプレッサ５０としての機能を継続させることができる。
【００５６】
上記した実施例では、揺れ振幅Ｄのしきい値Ｄｔとカウント数Ｃのしきい値Ｃはそれぞれ独立して設定されているが、複数のしきい値Ｄｔとしきい値Ｃｔを設けて互いに関連付けをして、しきい値Ｄｔの値によってしきい値Ｃｔを定める設定であってもよい。例えば、２°のしきい値Ｄｔについてはしきい値Ｃｔを３と設定し、３°のしきい値Ｄｔについてはしきい値Ｃｔを２と設定する。この時、３°以上の揺れ振幅Ｄを所定時間Ｔｔ以内に２回検知した場合には、２°以上の揺れ振幅Ｄが３回より少ない検知であってもコントローラ４０はエアコンプレッサ５０としての機能を停止させる。また、２°以上３°未満の揺れ振幅Ｄを所定時間Ｔｔ以内に２回検知した場合には、３°以上の揺れ振幅Ｄについては２回より少ない検知なので、エアコンプレッサ５０としての機能が継続する。
【００５７】
また、エアコンプレッサ５０によれば、姿勢センサ５１はジャイロセンサであり、コントローラ４０が備えるコントローラ基板４０ｂに設けられている。従って、コントローラ４０に対して姿勢センサ５１を電気的に接続する際の組み付け性を高めることができる。
【００５８】
以上説明した第１，第２実施形態のエアコンプレッサ１，５０には様々な変更を加えることができる。例えば、上記したエアコンプレッサ１，５０としての機能を停止させる複数の構成は、単独であるいは適宜組み合わせて用いることができる。タンク４や脚部３の設ける個数がエアコンプレッサ１，５０と異なる場合や、タンク４と圧縮エア生成部２０等との配置関係がエアコンプレッサ１，５０と異なる場合についても、本発明を適用することができる。着脱式のバッテリ１３とバッテリ取付部１２に代えて、内蔵式のバッテリを備える構成としてもよい。報知手段４３は、音で知らせるブザー等に代えて、例えば視覚的に知らせる光源等であってもよい。
【００５９】
振動センサ４５が例えば振動の加速度を検知し、振動の加速度からエアコンプレッサ１の設置の安定性を判別する構成としてもよい。姿勢センサ５１に代えて例えば揺れ振幅が変化する加速度を検知する加速度センサで、揺れ振幅が変化する加速度からエアコンプレッサ５０の設置の安定性を判別する構成としてもよい。振動センサ４５や姿勢センサ５１、または姿勢センサ５１を備えたコントローラ４０の設置場所は、例示した場所に限らず、エアコンプレッサ１の設置の安定性が低い場合に揺れ動きやすい場所であれば適宜変更することができ、例えばタンク４の下側等であってもよい。振動センサ４５，姿勢センサ５１が検知してからエアコンプレッサ１，５０の機能を停止させるまでの一連の構成は、エアコンプレッサ１，５０の設置の安定性が低い場合だけでなく、例えばエアコンプレッサ１，５０の万一の故障等による異常な振動の判別手段としても利用することができ、当該故障等におけるエアコンプレッサ１，５０の異常な動作を防止することもできる。
【符号の説明】
【００６０】
１…エアコンプレッサ（第１実施形態）
２…ハウジング
３…脚部
４…タンク
５…圧力センサ
６…ドレンコック、６ａ…ドレン排出口
７…ハンドル、７ａ…ベルト取付部、７ｂ…支軸
８…肩掛けベルト
１０…電源制御部
１１…押しボタン
１２…バッテリ取付部
１３…バッテリ
１５…モータハウジング
１６…電動モータ、１６ａ…モータ軸、１６ｂ…駆動ギヤ、１６ｃ…冷却ファン
１７…ギヤハウジング
１８…減速部、１８ａ…出力軸、１８ｂ…従動ギヤ
２０…圧縮エア生成部（圧縮機構）
２１…クランクハウジング
２２…クランク円板、２２ａ…クランク軸
２３…クランクロッド
２４…ピストン
２５…シリンダ
２６…通気管
３０…圧縮エア供給部
３１…圧力調整部
３２…圧力調整ダイヤル
３３…メータ
３４…吐出口
３５…圧縮エア放出手段
３６…電磁バルブ
３７…排出管
４０…コントローラ、４０ａ…コントローラケース、４０ｂ…コントローラ基板（基板）
４１…マイコン（マイクロプロセッサ）、４２…ＦＥＴ回路、４３…報知手段
４５…振動センサ（振動検知手段）
５０…エアコンプレッサ（第２実施形態）
５１…姿勢センサ（傾斜検知手段）
Ｆ…設置面
【図１】
2020118073.tif 000003
【図２】
2020118073.tif 000004
【図３】
2020118073.tif 000005
【図４】
2020118073.tif 000006
【図５】
2020118073.tif 000007
【図６】
2020118073.tif 000008
【図７】
2020118073.tif 000009
【図８】
2020118073.tif 000010
【図９】
2020118073.tif 000011